【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  所定の一ないし複数の符号化率でパンクチュアード畳込み符号化され、所定の一ないし複数の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータを伝送された符号化率に応じて補完し、デパンクチュアードデータとして出力するデパンクチュアー化回路と、
前記デパンクチュアードデータをビタビ復号し、復号データを出力するビタビ復号回路と、を具備し、
前記メトリック変換回路は、
前記復調データを伝送された変調方式及び符号化率の組み合わせに応じた量子化レベルにより量子化し、メトリックデータとして出力することを特徴とする誤り訂正回路。
【請求項２】 前記メトリック変換回路は、
前記復調データを多値メトリックデータに変換する関数を量子化ステップ関数とするとき、伝送された変調方式及び符号化率の組合せに応じて前記量子化ステップ関数の勾配を切り替えることを特徴とする請求項１記載の誤り訂正回路。
【請求項３】  前記メトリック変換回路は、
前記復調データを多値メトリックデータに変換する関数を量子化ステップ関数とし、伝送された変調方式及び符号化率の組合せによって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項１記載の誤り訂正回路。
【請求項４】  所定の符号化率で畳込み符号化され、所定の一ないし複数の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータをビタビ復号し、復号データを出力するビタビ復号回路と、を具備し、
前記メトリック変換回路は、
前記復調データを伝送された変調方式に応じた量子化レベルにより量子化し、メトリックデータとして出力することを特徴とする誤り訂正回路。
【請求項５】  前記メトリック変換回路は、
前記復調データを多値メトリックデータに変換する関数を量子化ステップ関数とするとき、伝送された変調方式に応じて前記量子化ステップ関数の勾配を切り替えることを特徴とする請求項４記載の誤り訂正回路。
【請求項６】  前記メトリック変換回路は、
前記復調データを多値メトリックデータに変換する関数を量子化ステップ関数とし、伝送された変調方式によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項４記載の誤り訂正回路。
【請求項７】  所定の一ないし複数の符号化率でパンクチュアード畳込み符号化され、所定の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータを伝送された符号化率に応じて補完し、デパンクチュアードデータとして出力するデパンクチュアー化回路と、
前記デパンクチュアードデータをビタビ復号し、復号データを出力するビタビ復号回路と、を具備し、
前記メトリック変換回路は、
前記復調データを伝送された符号化率に応じた量子化レベルにより量子化し、メトリックデータとして出力することを特徴とする誤り訂正回路。
【請求項８】  前記メトリック変換回路は、
前記復調データを多値メトリックデータに変換する関数を量子化ステップ関数とするとき、伝送された符号化率に応じて前記量子化ステップ関数の勾配を切り替えることを特徴とする請求項７記載の誤り訂正回路。
【請求項９】  前記メトリック変換回路は、
前記復調データを多値メトリックデータに変換する関数を量子化ステップ関数とし、伝送された符号化率によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項７記載の誤り訂正回路。
【手続補正２】
【補正対象書類名】明細書
【補正対象項目名】００１４
【補正方法】変更
【補正の内容】
【００１４】
【課題を解決するための手段】
本願の発明は、所定の一ないし複数の符号化率でパンクチュアード畳込み符号化され、所定の一ないし複数の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータを伝送された符号化率に応じて補完し、デパンクチュアードデータとして出力するデパンクチュアー化回路と、前記デパンクチュアードデータをビタビ復号し、復号データを出力するビタビ復号回路と、を具備し、前記メトリック変換回路は、前記復調データを伝送された変調方式及び符号化率の組み合わせに応じた量子化レベルにより量子化し、メトリックデータとして出力することを特徴とする。
ここで前記メトリック変換回路は、前記復調データを多値メトリックデータに変換する関数を量子化ステップ関数とするとき、伝送された変調方式及び符号化率の組合せに応じて前記量子化ステップ関数の勾配を切り替えるようにしてもよい。
ここで前記メトリック変換回路は、前記復調データを多値メトリックデータに変換する関数を量子化ステップ関数とし、伝送された変調方式及び符号化率の組合せによって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。
【手続補正３】
【補正対象書類名】明細書
【補正対象項目名】００１５
【補正方法】変更
【補正の内容】
【００１５】
本願の発明は、所定の符号化率で畳込み符号化され、所定の一ないし複数の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータをビタビ復号し、復号データを出力するビタビ復号回路と、を具備し、前記メトリック変換回路は、前記復調データを伝送された変調方式に応じた量子化レベルにより量子化し、メトリックデータとして出力することを特徴とする。
ここで前記メトリック変換回路は、前記復調データを多値メトリックデータに変換する関数を量子化ステップ関数とするとき、伝送された変調方式に応じて前記量子化ステップ関数の勾配を切り替えるようにしてもよい。
ここで前記メトリック変換回路は、前記復調データを多値メトリックデータに変換する関数を量子化ステップ関数とし、伝送された変調方式によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。
【手続補正４】
【補正対象書類名】明細書
【補正対象項目名】００１６
【補正方法】変更
【補正の内容】
【００１６】
本願の発明は、所定の一ないし複数の符号化率でパンクチュアード畳込み符号化され、所定の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータを伝送された符号化率に応じて補完し、デパンクチュアードデータとして出力するデパンクチュアー化回路と、前記デパンクチュアードデータをビタビ復号し、復号データを出力するビタビ復号回路と、を具備し、前記メトリック変換回路は、前記復調データを伝送された符号化率に応じた量子化レベルにより量子化し、メトリックデータとして出力することを特徴とする。
ここで前記メトリック変換回路は、前記復調データを多値メトリックデータに変換する関数を量子化ステップ関数とするとき、伝送された符号化率に応じて前記量子化ステップ関数の勾配を切り替えるようにしてもよい。
ここで前記メトリック変換回路は、前記復調データを多値メトリックデータに変換する関数を量子化ステップ関数とし、伝送された符号化率によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。